(57)【要約】【課題】レバー収容部の開口部を破損を防止しつつ、ハウジングを幅方向に小型化する。【解決手段】本発明は、相手側コネクタとの嵌合および離脱を行うための倍力機構としてのレバー３０と、このレバー３０を嵌合方向後方から内部に収容可能なレバー収容部２２を有するハウジング２０と、レバー３０を回動可能に支持する支持軸４１を有し、ハウジング２０に対して支持軸４１の軸方向に装着されるリテーナ４０とを備えた構成とした。このような構成によると、レバー３０をハウジング２０のレバー収容部２２に対して嵌合方向後方から組み付けた後、支持軸４１を有するリテーナ４０をハウジング２０に対して軸部材の軸方向から組み付ける。したがって、ハウジング２０を幅方向に小型化した場合でも、レバー収容部２２の開口部２４が弾性限界を超えて変形することを回避でき、レバー収容部２２の開口部２４の損傷を防止することができる。【選択図】図１
2014099341.tif 000002
【特許請求の範囲】
【請求項１】
相手側コネクタとの嵌合および離脱を行うための倍力機構としてのレバーと、
このレバーを嵌合方向後方から内部に収容可能なレバー収容部を有するハウジングと、
前記レバーを回動可能に支持する支持軸を有し、前記ハウジングに対して前記支持軸の軸方向に装着される軸部材とを備えたレバー式コネクタ。
【請求項２】
前記ハウジングは雌ハウジングであって、この雌ハウジングの内部には、雌端子が収容されており、前記軸部材は、前記雌端子を前記ハウジングの内部に保持するリテーナであることを特徴とする請求項１に記載のレバー式コネクタ。
【請求項３】
前記レバーはカムピンを有し、前記相手側コネクタは、前記カムピンと係合可能なカム溝を有することを特徴とする請求項１または請求項２に記載のレバー式コネクタ。
【発明の詳細な説明】
【技術分野】
【０００１】
本発明は、回動可能なレバーが装着されたレバー式コネクタに関する。
【背景技術】
【０００２】
従来、この種のレバー式コネクタとして、下記特許文献１に記載のものが知られている。このレバー式コネクタは合成樹脂製のハウジングを有し、このハウジングには、レバーを内部に収容するレバー収容部が設けられている。レバー収容部は、後方に開口する形態をなす開口部を有し、このレバー収容部の内部には、レバーを回動可能に支持する支持軸が立設されている。一方、レバーには、支持軸が嵌合可能な軸受孔が形成されており、レバーをレバー収容部に後方から装着すると、レバーが支持軸に乗り上げることでレバー収容部の開口部が拡開変形し、支持軸が軸受孔に嵌合すると、レバー収容部の開口部が弾性的に復帰する。
【先行技術文献】
【特許文献】
【０００３】
【特許文献１】特開２００３−２４９３０４号公報
【発明の概要】
【発明が解決しようとする課題】
【０００４】
しかしながら、上記のレバー式コネクタでは、ハウジングを幅方向に小型化した場合に、レバー収容部の開口部が弾性限界を超えて拡開変形し、レバー収容部の開口部が破損しやすくなる。かといって、支持軸の高さを低くしてレバー収容部の開口部の拡開変形を最小限に抑えようとすると、レバーがレバー収容部の内部から外れやすくなってしまう。
【０００５】
本発明は上記のような事情に基づいて完成されたものであって、レバー収容部の開口部を破損を防止しつつ、ハウジングを幅方向に小型化することを目的とする。
【課題を解決するための手段】
【０００６】
本発明は、相手側コネクタとの嵌合および離脱を行うための倍力機構としてのレバーと、このレバーを嵌合方向後方から内部に収容可能なレバー収容部を有するハウジングと、レバーを回動可能に支持する支持軸を有し、ハウジングに対して支持軸の軸方向に装着される軸部材とを備えた構成としたところに特徴を有する。
【０００７】
このような構成によると、レバーをハウジングのレバー収容部に対して嵌合方向後方から組み付けた後、支持軸を有する軸部材をハウジングに対して支持軸の軸方向から組み付ける。このようにすると、レバーをレバー収容部の内部に装着する際に、レバーが支持軸に乗り上げないようにこの支持軸をレバー収容部から退避させておき、もってレバー収容部の開口部が拡開変形することを回避できる。したがって、ハウジングを幅方向に小型化した場合でも、レバー収容部の開口部が弾性限界を超えて変形することを回避でき、レバー収容部の開口部の損傷を防止することができる。
【０００８】
本発明の実施の態様として、以下の構成が好ましい。
ハウジングは雌ハウジングであって、この雌ハウジングの内部には、雌端子が収容されており、軸部材は、雌端子をハウジングの内部に保持するリテーナである構成としてもよい。
このような構成によると、リテーナを軸部材に流用することができる。
【０００９】
レバーはカムピンを有し、相手側コネクタは、カムピンと係合可能なカム溝を有する構成としてもよい。
このような構成によると、レバーにカムピンを設けているため、レバー収容部の大きさを少なくともカムピンの回動軌跡の大きさだけ確保すればよく、レバーにカム溝を設ける場合よりもレバー収容部を小型化できる。
【発明の効果】
【００１０】
本発明によれば、レバー収容部の開口部を破損を防止しつつ、ハウジングを幅方向に小型化することができる。
【図面の簡単な説明】
【００１１】
【図１】レバー式コネクタの組み付け手順を示した分解斜視図
【図２】レバー式コネクタの組み付け状態を示した斜視図
【図３】レバーが初期位置にあるレバー式コネクタの背面図
【図４】図３におけるＡ−Ａ線断面図
【図５】レバーが嵌合位置にあるレバー式コネクタの背面図
【図６】図５におけるＢ−Ｂ線断面図
【図７】ハウジングの背面図
【図８】図７におけるＣ−Ｃ線断面図
【図９】図７におけるＤ−Ｄ線断面図
【図１０】ハウジングの底面図
【図１１】ハウジングの正面図
【図１２】リテーナの正面図
【図１３】リテーナの側面図
【図１４】リテーナの平面図
【発明を実施するための形態】
【００１２】
＜実施形態＞
本発明の実施形態を図１ないし図１４の図面を参照しながら説明する。本実施形態におけるレバー式コネクタ１０は、図１に示すように、ハウジング２０と、レバー３０と、リテーナ４０とを備えて構成されている。このレバー式コネクタ１０は雌コネクタであって、相手側コネクタである雄コネクタ（図示せず）に嵌合可能とされている。なお、以下の説明において前後方向とは、両コネクタ１０の嵌合方向を基準とし、互いの嵌合面側を前側とする。
【００１３】
ハウジング２０は合成樹脂製であって、複数の雌端子（図示せず）が収容された端子保持部２１と、この端子保持部２１の上方に配されたレバー３０を内部に収容するレバー収容部２２とを備えて構成されている。端子保持部２１の内部には、雌端子を収容するキャビティ２３が前後方向に貫通して複数形成されている。また、レバー収容部２２は、後方に開口する形態をなす開口部２４と、レバー収容部２２の上面を一部切り欠くことで形成されたカムピン挿通孔２５とを備えている。このカムピン挿通孔２５は、図１に示すように、円を４つに等分した１／４円（扇形）形状をなしている。
【００１４】
レバー３０は合成樹脂製であって、板状をなすカム板３１と、このカム板３１の後端部に形成された操作部３２とを備えて構成されている。カム板３１には、同カム板３１の板厚方向に弾性変形可能なロックアーム３３が形成されている。ロックアーム３３は前後方向に延びる形態をなし、その後端が自由端とされている。また、ロックアーム３３の前後方向中央部には、ロック突部３４が形成されている。また、ロックアーム３３の後端部には、図３に示すように、解除操作用の押圧片３５が形成されている。この押圧片３５は、略方形の環状をなす操作部３２によってほぼ全周から覆われた形態をなし、操作部３２の上辺部を切り欠くことによって形成された切欠部３２Ａを通して端部が上方に臨む配置とされている。
【００１５】
レバー収容部２１の下面には、図６に示すように、後述する支持軸４１を挿通させる支持軸挿通孔２６が上下方向に貫通して形成されている。支持軸４１は、支持軸挿通孔２６を貫通してレバー収容部２２の内部に進入し、レバー収容部２２の下面から上方に突出して形成されている。一方、カム板３１の下面には、支持軸４１が嵌合可能な支持凹部３８が下方に開口して形成されている。支持軸４１が支持凹部３８に嵌合することで、レバー３０が回動可能に支持される。
【００１６】
また、レバー収容部２２の上面には、図９に示すように、ロック受け部２７が下方に突出して形成されている。このロック受け部２７は、ロックアーム３３のロック突部３４に係止することにより、レバー３０の回動を次述する嵌合位置に保持できるようになっている。
【００１７】
レバー３０は、図３に示す初期位置と、図５に示す嵌合位置との間を回動可能とされている。レバー３０のカム板３１には、カムピン３６が形成されており、相手側コネクタである雄コネクタには、カムピン３６に係合可能なカム溝（図示せず）が形成されている。カムピン３６は、図１に示すように、カム板３１の上面における外縁部に配されており、嵌合位置ではカム板３１の前端部に配されるようになっている。また、カム板３１の外縁部におけるカムピン３６と対応する位置には、めくれ防止片３７が前方に張り出すように形成されている。このめくれ防止片３７は、カムピン挿通孔２５の円弧部分の外周縁部の下側に入り込んでおり、レバー３０の回動の途中でカム板３１が上方にめくれて外れることを防止している。
【００１８】
リテーナ４０は合成樹脂製であって、図１２に示すように、格子状をなすリテーナ本体部４２と、このリテーナ本体部４２の上面に形成された支持軸４１と、リテーナ本体部４２の幅方向両側に配された一対の係止部４３とを備えている。係止部４３は、図１３に示すように、前後一対の係止片４４を有し、これらの係止片４４が前後方向に撓み変形することによってハウジング２０の内部の被係止部２８（図１０参照）に内側からロック可能となっている。また、支持軸４１を支持する台座４５は、リテーナ本体４２の上面から上方に一段高く形成されている。リテーナ４０は、図９に示すように、ハウジング２０の内部に形成されたリテーナ収容部２９の内部に収容されている。このリテーナ収容部２９は下方に開口する形態をなしている。
【００１９】
本実施形態は以上のような構成であって、続いてその作用を説明する。レバー３０をハウジング２０のレバー収容部２２の内部に対して後方から組み付けた後、リテーナ４０をハウジング２０に対して下方から組み付ける。すると、支持軸４１がその軸方向に沿って上方へ移動し支持軸挿通孔２６を貫通してレバー収容部２２の内部に進入し、支持凹部３８に嵌合する。これにより、レバー３０がレバー収容部２１の内部において回動可能に装着され、レバー３０を初期位置にセットする。
【００２０】
次に、レバー式コネクタ１０を相手側コネクタに浅く嵌合させると、カムピン３６がカム溝の入口に進入し、レバー３０の回動動作が許容される。そして、レバー３０を初期位置から嵌合位置に向けて回動させると、カムピン３６とカム溝の係合に基づくカム作用によって、レバー式コネクタ１０が相手側コネクタに引き寄せられる。また、図４に示すように、ロック受け部２７によりロックアーム３３のロック突部３４が押し下げられる。
【００２１】
この間、めくれ防止片３７がカムピン挿通孔２５の円弧部分の外周縁部に下側から係止することにより、カム板３１の上方へのめくれが防止される。そして、レバー３０が嵌合位置に至ると、ロック受け部２７によるロック突部３４の下方への押圧から復帰することにより互いに係止する。これにより、レバー３０は嵌合位置に保持されるとともに、レバー式コネクタ１０が相手側コネクタに嵌合した状態に保持される。さらに、相手側コネクタの雄端子とレバー式コネクタ１０の雌端子とが導通可能に接続される。
【００２２】
次に、レバー式コネクタ１０を相手側コネクタから離脱させる場合について簡単に説明する。まず、押圧片３５を下方に押し込んでロックアーム３３を撓ませ、ロック突部３４とロック受け部２７の係止状態を解除する。この状態で操作部３２を指に掛けてレバー３０を嵌合位置から初期位置へ回動させる。すると、カムピン３６とカム溝の係合によってレバー式コネクタ１０が相手側コネクタから引き離される。そして、レバー３０が初期位置に至った後、レバー式コネクタ１０を相手側コネクタから手動で引き離すと、互いに離脱した状態になる。
【００２３】
以上のように本実施形態では、レバー３０をハウジング２０のレバー収容部２２に対して嵌合方向後方から組み付けた後、支持軸４１を有するリテーナ４０をハウジング２０に対して支持軸の軸方向から組み付ける。このようにすると、レバー３０をレバー収容部２２の内部に装着する際に、レバー３０が支持軸４１に乗り上げないようにこの支持軸４１をレバー収容部２２から退避させておき、もってレバー収容部２２の開口部２４が拡開変形することを回避できる。したがって、ハウジング２０を幅方向に小型化した場合でも、レバー収容部２２の開口部２４が弾性限界を超えて変形することを回避でき、レバー収容部２２の開口部２４の損傷を防止することができる。
【００２４】
ハウジング２０は雌ハウジングであって、この雌ハウジングの内部には、雌端子が収容されており、軸部材は、雌端子をハウジング２０の内部に保持するリテーナ４０である構成としてもよい。このような構成によると、リテーナ４０を軸部材に流用することができる。
【００２５】
レバー３０はカムピン３６を有し、相手側コネクタは、カムピン３６と係合可能なカム溝を有する構成としてもよい。このような構成によると、レバー３０にカムピン３６を設けているため、レバー収容部２２の大きさを少なくともカムピン３６の回動軌跡の大きさだけ確保すればよく、レバー３０にカム溝を設ける場合よりもレバー収容部２２を小型化できる。
【００２６】
＜他の実施形態＞
本発明は上記記述及び図面によって説明した実施形態に限定されるものではなく、例えば次のような実施形態も本発明の技術的範囲に含まれる。
（１）上記実施形態では、レバー３０にカムピン３６が形成されているものの、本発明によると、レバー３０にカム溝を形成してもよい。
【００２７】
（２）上記実施形態では、リテーナ４０に支持軸４１を設けているものの、本発明によると、リテーナとは別の部材に支持軸を設けてもよい。
【符号の説明】
【００２８】
１０…レバー式コネクタ
２０…ハウジング
２２…レバー収容部
２４…開口部
３０…レバー
３６…カムピン
４０…リテーナ（軸部材）
４１…支持軸
【図１】
2014099341.tif 000003
【図２】
2014099341.tif 000004
【図３】
2014099341.tif 000005
【図４】
2014099341.tif 000006
【図５】
2014099341.tif 000007
【図６】
2014099341.tif 000008
【図７】
2014099341.tif 000009
【図８】
2014099341.tif 000010
【図９】
2014099341.tif 000011
【図１０】
2014099341.tif 000012
【図１１】
2014099341.tif 000013
【図１２】
2014099341.tif 000014
【図１３】
2014099341.tif 000015
【図１４】
2014099341.tif 000016